(57)【要約】【課題】凹凸屋根材などの上に積もった雪の加重による面戸の変形を抑制し、凹凸屋根材と面戸との接続状態が安定に維持させることができる屋根構造を提供すること。【解決手段】屋根構造は、底面部２１および凸部２２を有する凹凸屋根材２と、面戸３を備え、面戸３は、板状部３１と、この板状部３１から上方に突出し、板状部３１の軒側端部から間隔をおいて、かつ軒方向に沿って相互に離間して設けられた複数の閉鎖部３２と、この閉鎖部３２の上端部を折り曲げて形成された押さえ部３２１と、閉鎖部３２に対向するように板状部３１の棟側端部から間隔をおいて、かつ軒方向に沿って相互に離間配置された立上片部３３と、この立上片部３３の中央部に切欠部３４を備えており、閉鎖部３２の棟側の面３２ａと板状部３１は、立上片部３３の切欠部３４に架け渡されるように配置された連結部材４により連結され、凹凸屋根材２の凸部２２の軒側端部は、対応する面戸３の押さえ部３２１の下方に挿入されている。【選択図】図１
2018138752.tif 000002
【特許請求の範囲】
【請求項１】
屋根下地の上に設けられた凹凸屋根材の軒側に、面戸が接続されている屋根構造であって、
前記凹凸屋根材は、平坦な底面部と、この底面部から上方に突出し、かつ、軒側端部に開口部を有する畝上状の凸部とが軒棟方向に向かって延びる凹凸形を軒方向に沿って複数備えており、
前記面戸は、板状部と、この板状部から上方に突出し、前記板状部の軒側端部から間隔をおいて、かつ軒方向に沿って相互に離間して設けられた複数の閉鎖部と、この閉鎖部の上端部を折り曲げて形成された押さえ部と、前記閉鎖部に対向するように前記板状部の棟側端部から間隔をおいて、かつ軒方向に沿って相互に離間配置された立上片部と、この立上片部の中央部に切欠部を備えており、
前記閉鎖部の棟側の面と前記板状部は、前記立上片部の前記切欠部に架け渡されるように配置された連結部材により連結され、
前記凹凸屋根材の前記凸部の軒側端部は、対応する前記面戸の前記押さえ部の下方に挿入されることを特徴とする屋根構造。
【請求項２】
前記連結部材が、前記板状部および前記閉鎖部とは別体として形成され、前記板状部および前記閉鎖部に接着して固定されることを特徴とする請求項１に記載の屋根構造。
【請求項３】
前記閉鎖部および前記立上片部が、前記板状部の一部が切り起こされて形成されることを特徴とする請求項１または２に記載の屋根構造。
【発明の詳細な説明】
【技術分野】
【０００１】
本発明は、建物の屋根構造に関する。
【背景技術】
【０００２】
従来より、建物屋根において、屋根下地材の上に凹凸屋根材を配設した構造が知られている。そして、この屋根構造については従来より様々な観点からの改善工夫が試みられており、本出願人も、屋根下地材の上に設けられた凹凸屋根材の軒側端部に、面戸が設けられた屋根構造を提案している（特許文献１）。この屋根構造では、面戸が、凹凸屋根材の凸部の軒側開口に対向して、この開口を覆う覆い部を有し、この覆い部の側端部を前記凸部の側面部から凹部側に向けて突出する堰止部としている。この屋根構造では、凹凸屋根材の凹部を流れる雨水が屋外側（軒側）に大きく飛び出しにくく、軒下にいる人に雨水がかかりにくい。
【先行技術文献】
【特許文献】
【０００３】
【特許文献１】特開２０１４−８０７２８号公報
【発明の概要】
【発明が解決しようとする課題】
【０００４】
しかしながら、特許文献１の屋根構造の場合、例えば、凹凸屋根材などの上に積もった雪の荷重により、面戸が変形し、その閉鎖部が軒方向に折れ曲がることが懸念されていた。面戸が変形すると凹凸屋根材と面戸の間に隙間が生じることがあり、この隙間から雨水や虫などが侵入してしまうということも考えられた。
【０００５】
本発明は、以上のとおりの事情に鑑みてなされたものであり、例えば、凹凸屋根材などの上に積もった雪の加重による面戸の変形を抑制し、凹凸屋根材と面戸との接続状態が安定に維持される屋根構造を提供することを課題としている。
【課題を解決するための手段】
【０００６】
本発明は、上記の課題を解決するために、以下のことを特徴としている。
【０００７】
すなわち、本発明の屋根構造は、屋根下地の上に設けられた凹凸屋根材の軒側に、面戸が接続されている屋根構造であって、
前記凹凸屋根材は、平坦な底面部と、この底面部から上方に突出し、かつ、軒側端部に開口部を有する畝上状の凸部とが軒棟方向に向かって延びる凹凸形を軒方向に沿って複数備えており、
前記面戸は、板状部と、この板状部から上方に突出し、前記板状部の軒側端部から間隔をおいて、かつ軒方向に沿って相互に離間して設けられた複数の閉鎖部と、この閉鎖部の上端部を折り曲げて形成された押さえ部と、前記閉鎖部に対向するように前記板状部の棟側端部から間隔をおいて、かつ軒方向に沿って相互に離間配置された立上片部と、この立上片部の中央部に切欠部を備えており、
前記閉鎖部の棟側の面と前記板状部は、前記立上片部の前記切欠部に架け渡されるように配置された連結部材により連結され、
前記凹凸屋根材の前記凸部の軒側端部は、対応する前記面戸の前記押さえ部の下方に挿入されることを特徴としている。
【発明の効果】
【０００８】
本発明の屋根構造によれば、例えば、凹凸屋根材などの上に積もった雪の加重による面戸の変形を抑制し、凹凸屋根材と面戸との接続状態が安定に維持させることができる。
【図面の簡単な説明】
【０００９】
【図１】本発明の屋根構造の一実施形態を示した軒側の分解斜視図である。
【図２】図１の屋根構造を備えた建物の一部を示した斜視図である。
【図３】図２における軒側を示した要部断面図である。
【図４】凹凸屋根材と面戸の接合状態を示した概略斜視図である。
【発明を実施するための形態】
【００１０】
図１は、本発明の屋根構造の一実施形態を示した軒側の分解斜視図であり、図２は、図１の屋根構造を備えた建物の一部を示した斜視図である。図３は、図２における軒側を示した要部断面図である。
【００１１】
屋根構造は、屋根下地１の上に設けられた凹凸屋根材２の軒側に、面戸３が接続されている。凹凸屋根材２は、平坦な底面部２１と、底面部２１から上方に突出し、かつ、軒側端部に開口部２２aを有する畝状の凸部２２とが軒棟方向に延びる凹凸形を軒方向に沿って複数備えている。
【００１２】
凸部２２は、図１に示したように、底面部２１から立ち上がり、かつ、互いに離間して対向する一対の起立面部２２１と、一対の起立面部２２１の上端２２１a同士を接続する上面部２２２とを備えている。
【００１３】
面戸３は、軒方向に長い板状部３１と、この板状部３１から上方に突出し、板状部３１の軒側端部から間隔をおいて、かつ、軒方向に相互に離間して設けられた複数の閉鎖部３２と、この閉鎖部３２の上端部を折り曲げて形成された押さえ部３２１を備えている。
【００１４】
また、面戸３は、閉鎖部３２に対向するように板状部３１の棟側端部から間隔をおいて、かつ軒方向に沿って相互に離間配置された立上片部３３と、この立上片部３３の中央部に切欠部３４を備えている。
【００１５】
閉鎖部３２の棟側の面３２ａと板状部３１は、立上片部３３の切欠部３４に架け渡されるように配置された連結部材４により連結されている。
【００１６】
そして、凹凸屋根材２の凸部２２の軒側端部は、対応する面戸３の押さえ部３２１の下方に挿入される。
【００１７】
以下、図面に沿って、さらに、本実施形態の屋根構造について詳述する。
【００１８】
なお、本明細書中においては、図２に示す傾斜した屋根面に沿って軒と棟を結ぶ矢印Ｄ１に示す方向を「軒棟方向」とし、軒に沿う矢印Ｄ２に示す方向を「軒方向」として説明する。
【００１９】
屋根構造は、例えば、図２に示したように、片流れ屋根や切妻屋根などを有する建物５に適用することができ、屋根下地１の上に設けられた凹凸屋根材２の軒側に面戸３が接続されている。また、複数の凹凸屋根材２で構成される屋根面上には、機能パネルとしての太陽光発電パネルＰが設けられている。
【００２０】
凹凸屋根材２は、図１および図２に示したように、野地板１１上に軒方向に複数並べて載置されている。凹凸屋根材２の材料は特に限定されないが、例えば鋼板などの金属板を例示することができる。また、隣り合う凹凸屋根材２は、野地板１１上に設けられた軒方向連結具を介して連結されている。この軒方向連結具は、例えばネジや釘等の固着具を用いて野地板１１に固定される。
【００２１】
凹凸屋根材２は、平坦な底面部２１と、この底面部２１から上方に突出する畝状の凸部２２とを有している。凹凸屋根材２は、底面部２１と凸部２２とが軒方向Ｄ２に交互に複数形成されており、凸部２２の下側および軒側端部には開口部２２ａが形成されている。
【００２２】
凸部２２は、底面部２１から立ち上がり、かつ、互いに離間して対向する一対の起立面部２２１と、一対の起立面部２２１の上端２２１a同士を接続する上面部２２２とを備えている。起立面部２２１は、底面部２１に対して略直角に起立しており、上面部２２２によって接続される一対の起立面部２２１同士は互いに平行である。
【００２３】
建物５軒側の外壁の上端部には、図３に示したように、屋外側（棟と反対側）に向かって突出する軒部６が形成されている。軒部６の屋外側端部は、下方にゆくほど屋内側に位置するよう傾斜した鼻隠し７（鼻板）で構成されている。
【００２４】
建物５の屋根下地１は、垂木等の構造躯体上に設けられた野地板１１で構成されている。野地板１１は、棟側から軒側に向かって一様な角度で下り傾斜しており、屋根勾配と平行である、野地板１１の軒側端部は、鼻隠し７よりも屋外側に突出している。
【００２５】
野地板１１の軒側端部には、軒方向に長い水切り８が設けられている。水切り８の材料は特に限定されないが、例えば鋼板などの金属板で形成することができる。
【００２６】
水切り８は、板状の載置部８０と、載置部８０の屋外側縁部から垂れ下がる下垂片部８１を有している。下垂片部８１の上縁部から棟側に向かって突出した載置部８０は、野地板１１に載置されている。下垂片部８１は、野地板１１の屋外側に載置され、野地板１１の軒側端部よりも下方に突出している。下垂片部８１は、野地板１１の軒側端面を覆い、その屋外側の面に付着した雨水が下垂片部８１の下縁から流れ落ちるようになっている。
【００２７】
また、図３に示したように、軒部６の屋外側には、軒樋Ｎが軒部６に沿って設けられている。軒樋Ｎは、取付具を介して鼻隠し７に取り付けられている。水切り８の下垂片部８１の下縁は、建物５外壁に直交する屋内外方向において軒樋Ｎの両側の壁部の間に位置する。このため、水切り８の下垂片部８１等から流れ落ちた雨水は軒樋Ｎで受けられるようになっている。
【００２８】
野地板１１の軒側端部には、軒方向に長い面戸３が、軒方向に並べて設けられている。
【００２９】
面戸３は、図１、図２および図３に示すように、野地板１１の軒側端部に設けられており、軒方向に長い板状部３１と、板状部３１から上方に突出し、板状部３１の長手方向に沿って設けられた複数の閉鎖部３２と、この閉鎖部３２の上端部を折り曲げて形成された押さえ部３２１を備えている。面戸３の材料は特に限定されないが、例えば鋼板などの金属板で形成することができる。
【００３０】
板状部３１は、矩形状であり、ネジや釘などの固着具や接着剤を使用することで野地板１１の軒側端部付近に固定することができる。また、板状部３１においては、図３に示したように、軒側端部に斜め下方に向け突出した水切部３５を設けることもできる。この水切部３５は、板状部３１の軒方向にわたっている。
【００３１】
閉鎖部３２は、板状部３１の軒方向に沿って等間隔に複数配置されており、板状部３１の軒側端部から間隔をおいて立ち上がり、板状部３１の長手方向に平行かつ長尺な矩形板状となっている。閉鎖部３２は、図１に示すように、板状部３１の一部を切り起こして閉鎖部３２として形成してもよいし、板状部３１とは別体に成形して板状部３１の所定の位置に接続してもよい。
【００３２】
屋根構造では、図１に示したように、閉鎖部３２の高さ（平板部３１から押さえ部３２１の下側までの長さ）Ｈ１と、凸部２２の高さ（底面部２１から上面部２２の上側までの長さ）Ｈ２は略等しく設計されている。また、閉鎖部３２の幅（軒方向の長さ）Ｗ１は、凸部２２の対向する起立面部２２１同士の間の距離Ｗ２と略等しく、またはＷ２よりＷ１が大きくなるように設計されている。さらに、隣接する閉鎖部３２同士の間隔Ｌ１は、凹凸屋根材２の底面部２１の幅Ｌ２と略等しく設計されている。このため、凸部２２の軒側端部の開口部２２ａは閉鎖部３２により確実に閉鎖され、開口部２２ａから雨水や虫等が屋根構造内部の空間に入り込みにくくなる。
【００３３】
また、面戸３の板状部３１には、図１および図３に示すように、閉鎖部３２に対向するように板状部３１の棟側端部から間隔をおいて、かつ軒方向に沿って相互に離間配置された立上片部３３が配設されており、立上片部３３はその中央部に切欠部３４を備えている。なお、本明細書中において、中央部とはまさに中央を含む他、面戸３を外観したとき、ほぼ中央と認識し得る部分も含む。
【００３４】
立上片部３３は、閉鎖部３２より背が低く、図３に示したように、面戸３を施工したとき、凹凸屋根材２の凸部２２の上面部２２２との間には隙間１０が形成されるようになっている。
【００３５】
立上片部３３は、凹凸屋根材２の凸部２２の対向する起立面部２２１に当接し、凹凸屋根材２の軒方向の移動を抑えるための部材である。凹凸屋根材２の各凸部２２の軒側端部は、図３に示したように、対応する面戸３の押さえ部３２１の下方に挿入され、各凸部２２の内側には、対応する面戸３の立上片部３３が嵌め込まれている。
【００３６】
本実施形態の屋根構造では、図１に示したように、立上片部３３は、板状部３１の一部が切り起こされて形成されていることが好ましく考慮される。立上片部３３を板状部３１の一部から切り起こして形成することにより、立上片部３３の形成を容易にできるとともに、立上片部３３の厚みが面戸３の板状部の厚みと同等となるので、十分な強度を有する立上片部３３とすることができる。
【００３７】
形成する立上片部３３の幅や数は、その中央部に切欠部３４を備える限り時に限定されるものではなく、対応する１つの閉鎖部３２に対し、軒方向に２つの立上片部３３を設けてもよいし、２つ以上の偶数個の立上片部３３を設けてもよい。
【００３８】
また、面戸３においては、閉鎖部３２および立上片部３３を板状部３１から切り起こして形成した場合、閉鎖部３２と立上げ片部との間に、面戸開口部３７が形成される。面戸開口部３７は、対応する凸部２２の軒側端部の下方に位置している。面戸開口部３７は、対応する凸部２２内に形成された通気空間２３に連通している。これにより、通気空間２３には、対応する面戸開口部３７を介して外気が導入されるようになっている。すなわち、面戸開口部３７は、通気空間２３に外気を導入する通気口として機能する。図示は省略するが、各凸部２２の棟側端部は開放されており、これにより、各通気空間１３に導入された外気は、棟側から排出されるようになっている。また、面戸３の板状部３１において凹凸屋根材２の底面部２１に対応する部分には、面戸開口部３７は形成されておらず、板状部３１は、対応する底面部２１を下方より支持している。
【００３９】
さらに、屋根構造は、板状部３１と閉鎖部３２を連結する連結部材４を備えている。連結部材４は、板状部材であってもよいし、両端部が平板状に加工され、両端部以外は断面円形や断面矩形の中空の管状部材または中実の柱状部材であってもよい。
【００４０】
連結部材４は、図３に示したように、立上片部３３の切欠部３４に架け渡すように配置されており、一方の端部は、閉鎖部３２の棟側の面３２ａに固定され、他方の端部は板状部３１に固定される。
【００４１】
連結部材４は、板状部３１および閉鎖部と一体成形されていてもよいし、板状部３１および閉鎖部３２とは別体として形成され、板状部３１および閉鎖部３２に接着したり、固定具９を用いて固定されていてもよい。閉鎖部３２が積雪の荷重により軒側に倒伏し、変形するのを抑える観点からは、連結部材４を板状部３１および閉鎖部３２とは別体として形成し、板状部３１および閉鎖部３２に接着して固定されることが好ましい。また、連結部材４が金属製である場合、閉鎖部３２および板状部３１との固定方法は、溶接等であってもよい。
【００４２】
連結部材４の幅（軒方向の長さ）は、特に限定されないが、切欠部３４の幅（軒方向の長さ）とほぼ同等であることが好ましく考慮される。このような幅を有する連結部材４を立上片部３３の切欠部３４に架け渡すように配置することにより、連結部材４は切欠部３４の左右に設けられた立上片部３３に挟持されることになる。そのため、雪による加重が面戸３に加わったとしても、連結部材４の屈曲や捻じれ等の変形を抑制することができ、面戸３の変形も抑制することができる。
【００４３】
本実施形態の屋根構造は、例えば以下の手順により構築することができる。まず、野地板１１上に、閉鎖部３２と立上片部３３の切欠部３４の間を架け渡すように連結部材４が配置された面戸３を、固定具９を用いて固定する。
【００４４】
なお、連結部材４を有さない面戸３を用いてもよい。この場合、面戸３を野地板１１上に固定した後、連結部材４を、立上片部３３の切欠部３４に架け渡すように配置し、固定具９を用いて連結部材４の一方の端部を閉鎖部３２の棟側の面３２ａに固定し、他方の端部を板状部３１に固定する。
【００４５】
次に、面戸３の閉鎖部３２の棟側に凸部２２が位置するように、凹凸屋根材２を図１の矢印Ａ方向に下して、面戸３に当接させる。続けて、凹凸屋根材２の各凸部２２の内側に対応する面戸３の立上片部３３を嵌め込み、凹凸屋根材２を各立上片部３３の両側に対応する凸部３３の両起立面部２２１を沿わせながら、野地板１１に沿って矢印Ｂの軒側方向にスライドして移動させる。これにより、図４に示したように、凹凸屋根材２の各凸部２２の軒側端部に、対応する閉鎖部３２の棟側の面３２ａが当接するとともに、対応する面戸３の押さえ部３２１の下方に各凸部２２が挿入される。また、立上片部３３が、凹凸屋根材２の各凸部２２の内側に嵌め込まれる。
【００４６】
ここで、立上片部３３の配設位置と閉鎖部３２の位置関係により、凹凸屋根材２の各凸部２２に挿入される閉鎖部３２の位置が決定する。
【００４７】
そのため、本実施形態の屋根構造においては、立上片部３３の形成位置が非常に重要であり、屋根の設計やデザインに応じて決定することが考慮される。
【００４８】
次に、この状態で凹凸屋根材２を野地板１１に固定する。これにより、凹凸屋根材２の凸部２２の軒側端部が、対応する面戸３の押さえ部３２１の下方に挿入された状態、かつ、
凹凸屋根材２の凸部２２の内側に立上片部３３が嵌め込まれた状態で、野地板１１、面戸３および凹凸屋根材２が一体に固定される。
【００４９】
以上のとおり、本実施形態の屋根構造によれば、面戸３の閉鎖部３２の棟側の面３２ａ中央部と、平板部３１とを接続する連結部材４を設けて、閉鎖部３２を補強することができる。これにより、凹凸屋根材２や太陽光パネルＰの上に積もった雪の荷重による面戸３の変形を抑制することができる。そして、凹凸屋根材２と面戸３との接続状態が安定に維持される。また、凹凸屋根材２の凸部２２が、面戸３の押さえ部３２１により上方から押さえるように固定されているので、例えば、強風による凹凸屋根材２の破損や浮き上がり等を抑えることができる。
【００５０】
さらに、立上片部３３により、凹凸屋根材２の位置決めが簡単にできるため、閉鎖部３２によって凸部２２の軒側端部の開口部２２ａを確実に閉鎖することができる。このため、雨水や小鳥、虫等が凹凸屋根材２の内側に入り込みにくくすることができる。
【００５１】
以上、実施形態に基づき本発明の屋根構造を説明したが、本発明は上記の実施形態に何ら限定されるものではなく、その要旨を逸脱しない範囲内において各種の変更が可能である。
【００５２】
例えば、上記実施形態では、機能パネルを太陽光発電パネルＰとしたが、その他の機能を有するパネルで構成しても構わない。また、前記機能パネルは省略することもできる。さらにまた、本発明は片流れ屋根だけではなく切妻屋根等のその他の形状の屋根にも適用可能である。
【符号の説明】
【００５３】
１  屋根下地
１１  野地板
２  凹凸屋根材
２１  底面部
２２    凸部
２２ａ  開口部
２２１  起立面部
２２１ａ  上端
２２２  上面部
２３  通気空間
３  面戸
３１  板状部
３２  閉鎖部
３２１  押さえ部
３２ａ  棟側の面
３３  立上片部
３４  切欠部
３５  水切部
３６  面戸開口部
４  連結部材
５  建物
６  軒部
７  鼻隠し
８  水切り
８０  載置部
８１  下垂片部
９  固定具
１０  隙間
Ｎ  軒樋
【図１】
2018138752.tif 000003
【図２】
2018138752.tif 000004
【図３】
2018138752.tif 000005
【図４】
2018138752.tif 000006